(57)【要約】【課題】連続して開閉動作を行った際に発生する振動および動作音を軽減でき、かつ、固体撮像素子の撮像面の両側に発生するスミアのレベルの差を低減することができるシャッタ装置およびカメラを提供する。【解決手段】シャッタ装置は、固体撮像素子１の撮像面を遮光する第１遮光部３１ａを備える第１回転板３１と、固体撮像素子１の撮像面を遮光する第２遮光部３２ａを備え、第１回転板３１の回転軸と平行な回転軸をもつ第２回転板３２と、第１回転板３１および第２回転板３２を同一の角速度で互いに同期を維持して回転させる駆動部とを有する。第１遮光部３１ａおよび第２遮光部３２ａが、固体撮像素子１の撮像面の両側から当該撮像面上を通過するように、第１回転板３１および第２回転板３２が配置されている。【選択図】図５
2006308841.tif 000002
【特許請求の範囲】
【請求項１】
固体撮像素子の撮像面を遮光する第１遮光部を備える第１回転板と、
前記固体撮像素子の撮像面を遮光する第２遮光部を備え、前記第１回転板の回転軸と平行な回転軸をもつ第２回転板と、
前記第１回転板および前記第２回転板を同一の角速度で互いに同期を維持して回転させる駆動部と
を有し、
前記第１遮光部および前記第２遮光部が、前記固体撮像素子の撮像面の両側から前記撮像面上を通過するように、前記第１回転板および前記第２回転板が配置された
シャッタ装置。
【請求項２】
前記第１回転板の回転中心と前記第２回転板の回転中心は、前記撮像面に平行であって前記撮像面の中心を通る中心線に対して対称に配置された
請求項１記載のシャッタ装置。
【請求項３】
前記第１回転板と前記第２回転板は、互いの回転軸をずらした状態で重なって配置されおり、
前記第１回転板と前記第２回転板の間に、前記第１回転板の回転運動を前記第２回転板に伝える継手部材を有し、
前記駆動部は、前記第１回転板のみを駆動する
請求項１記載のシャッタ装置。
【請求項４】
前記第１回転板および前記第２回転板は、前記回転中心に対して点対称の形状をもつ
請求項１記載のシャッタ装置。
【請求項５】
前記固体撮像素子は、フレームトランスファ方式の固体撮像素子である
請求項１記載のシャッタ装置。
【請求項６】
固体撮像素子と、
前記固体撮像素子の撮像面への光の入射期間および遮光期間を制御するシャッタ装置とを有し、
前記シャッタ装置は、
前記固体撮像素子の撮像面を遮光する第１遮光部を備える第１回転板と、
前記固体撮像素子の撮像面を遮光する第２遮光部を備え、前記第１回転板の回転軸と平行な回転軸をもつ第２回転板と、
前記第１回転板および前記第２回転板を同一の角速度で互いに同期を維持して回転させる駆動部と
を有し、
前記第１遮光部および前記第２遮光部が、前記固体撮像素子の撮像面の両側から前記撮像面上を通過するように、前記第１回転板および前記第２回転板が配置された
カメラ。
【発明の詳細な説明】
【技術分野】
【０００１】
本発明は、シャッタ装置およびカメラに関し、特に、固体撮像素子の撮像面への光の入射期間および遮光期間を制御するシャッタ装置と、当該シャッタ装置を備えたカメラに関する。
【背景技術】
【０００２】
ＦＴ（Ｆｒａｍｅ−Ｔｒａｎｓｆｅｒ）−ＣＣＤを動画用（ビデオカメラ）に用いた場合、ＣＣＤが撮像部（受光部）から蓄積部へ電荷を転送する期間において光が照射されることによって、スミアが生じる。これを防止する手段の一つとして電荷転送期間中はＣＣＤを遮光する方法がある。
【０００３】
ＣＣＤを遮光するため、既に市販され容易に入手可能なデジタルスチルカメラ用のメカニカルシャッタを用いる方法が考えられる。しかしながら、デジタルスチルカメラ用のメカニカルシャッタでは、静止画を撮るための１回あるいは数回の連写には問題なくとも、動画の連続動作では、振動、作動音が問題となる。
【０００４】
このため、撮像面の１フィールド分の画像が更新される周期、すなわち１／６０秒にあわせて開閉させる回転可能な円盤状の遮光機構を備えたシャッタ装置が提案されている（特許文献１参照）。
【特許文献１】特開昭６１−２９２６２０号公報
【発明の開示】
【発明が解決しようとする課題】
【０００５】
しかしながら、上記の特許文献１に記載のシャッタ装置では、遮光片が固体撮像素子の撮像面を隠す際に、遮光片の端面が斜めに横切るため左右あるいは上下で時間差が生じ、スミアのレベルに差が生じる。
【０００６】
遮光片が往復運動を繰り返せばこの問題は起きないが、上記したように、動画撮影（連続作動）では振動及び動作音がユーザーにとって不快感となる。
【０００７】
本発明は上記の事情に鑑みてなされたものであり、その目的は、連続して開閉動作を行った際に発生する振動および動作音を軽減でき、かつ、固体撮像素子の撮像面の両側に発生するスミアのレベルの差を低減することができるシャッタ装置およびカメラを提供することにある。
【課題を解決するための手段】
【０００８】
上記の目的を達成するため、本発明のシャッタ装置は、固体撮像素子の撮像面を遮光する第１遮光部を備える第１回転板と、前記固体撮像素子の撮像面を遮光する第２遮光部を備え、前記第１回転板の回転軸と平行な回転軸をもつ第２回転板と、前記第１回転板および前記第２回転板を同一の角速度で互いに同期を維持して回転させる駆動部とを有し、前記第１遮光部および前記第２遮光部が、前記固体撮像素子の撮像面の両側から前記撮像面上を通過するように、前記第１回転板および前記第２回転板が配置されたものである。
【０００９】
上記の本発明のシャッタ装置では、駆動部により第１回転板と第２回転板が同一の角速度で互いに同期を維持して回転させられる。この回転動作中において、第１遮光部と第２遮光部の双方が固体撮像素子の撮像面上を通過する期間が固体撮像素子の遮光期間となり、固体撮像素子の撮像面上に第１遮光部および第２遮光部の双方が存在しない期間が光照射期間となる。第１遮光部および第２遮光部は、固体撮像素子の撮像面上を一定周期で繰り返し通過するため、シャッタ開閉動作が連続して行われることになる。
上記のシャッタ開閉動作において、第１遮光部および第２遮光部が、固体撮像素子の撮像面の両側から撮像面上を通過する。このため、固体撮像素子の撮像面の両側における遮光の時間差が軽減される。
【００１０】
上記の目的を達成するため、本発明のカメラは、固体撮像素子と、前記固体撮像素子の撮像面への光の入射期間および遮光期間を制御するシャッタ装置とを有し、前記シャッタ装置は、前記固体撮像素子の撮像面を遮光する第１遮光部を備える第１回転板と、前記固体撮像素子の撮像面を遮光する第２遮光部を備え、前記第１回転板の回転軸と平行な回転軸をもつ第２回転板と、前記第１回転板および前記第２回転板を同一の角速度で互いに同期を維持して回転させる駆動部とを有し、前記第１遮光部および前記第２遮光部が、前記固体撮像素子の撮像面の両側から前記撮像面上を通過するように、前記第１回転板および前記第２回転板が配置されたものである。
【００１１】
上記の本発明のカメラでは、駆動部により第１回転板と第２回転板が同一の角速度で互いに同期を維持して回転させられる。この回転動作中において、第１遮光部と第２遮光部の双方が固体撮像素子の撮像面上を通過する期間が固体撮像素子の遮光期間となり、固体撮像素子の撮像面上に第１遮光部および第２遮光部の双方が存在しない期間が光照射期間となる。第１遮光部および第２遮光部は、固体撮像素子の撮像面上を一定周期で繰り返し通過するため、シャッタ開閉動作が連続して行われることになる。
上記のシャッタ開閉動作において、第１遮光部および第２遮光部が、固体撮像素子の撮像面の両側から撮像面上を通過する。このため、固体撮像素子の撮像面の両側における遮光の時間差が軽減される。
【発明の効果】
【００１２】
本発明によれば、連続して開閉動作を行った際に発生する振動および動作音を軽減でき、かつ、固体撮像素子の撮像面の両側に発生するスミアのレベルの差を低減することができる。
【発明を実施するための最良の形態】
【００１３】
以下に、本発明の実施の形態について、図面を参照して説明する。
【００１４】
（第１実施形態）
図１は、本実施形態に係るカメラに備えられる固体撮像素子の構成を示す図である。本実施形態では、固体撮像素子としてフレームトランスファ方式のＣＣＤ撮像素子（ＦＴ−ＣＣＤ）を採用する。
【００１５】
固体撮像素子１は、撮像部１０と、蓄積部１１と、水平転送ＣＣＤ１２と、出力部１３とを有する。
【００１６】
撮像部１０は、水平画素分だけ配列した垂直転送ＣＣＤ１４を有する。撮像部１０は、本発明の撮像面を構成する。入射光の光電変換は、垂直転送ＣＣＤ１４の中で行われるため、垂直転送ＣＣＤ１４は、光電変換、電荷蓄積および垂直転送の機能を兼ねる。このため、垂直転送ＣＣＤ１４の転送電極は、光を透過させる透明電極、例えばポリシリコン膜により形成される。
【００１７】
蓄積部１１は、水平画素分だけ配列した垂直転送ＣＣＤ１５を有する。蓄積部１１における垂直転送ＣＣＤ１５は、例えばアルミニウムなどからなる遮光膜によって遮光されている。
【００１８】
水平転送ＣＣＤ１２は、蓄積部１１から転送された信号電荷を水平方向（図中左方向）に転送する。
【００１９】
出力部１３は、例えばフローティングディフュージョンを有し、水平転送ＣＣＤ１２から転送された信号電荷量に応じた電圧を出力する。
【００２０】
上記のＦＴ−ＣＣＤからなる固体撮像素子１では、撮像部１０に照射された入射光は、撮像部１０の垂直転送ＣＣＤ１４により入射光量に応じた信号電荷に光電変換される。信号電荷の例を図中、黒印で示す。光電変換により生じた信号電荷は、撮像部１０から蓄積部１１に高速で転送される。撮像部１０から蓄積部１１への転送は、垂直ブランキング期間内に行われる。
【００２１】
蓄積部１１に転送された信号電荷は、撮像部１０において次の露光を行っている間に、垂直転送ＣＣＤ１５により水平転送ＣＣＤ１２に転送される。水平転送ＣＣＤ１２に転送された信号電荷は、水平転送ＣＣＤ１２により出力部１３に転送される。出力部１３では、信号電荷量に応じた電圧が出力される。
【００２２】
上記の固体撮像素子１の動作において、撮像部１０から蓄積部１１へ高速に信号電荷を転送している期間において光が照射されると、スミアが生じる。これを防止するため、撮像部１０から蓄積部１１への電荷転送期間中は、撮像部１０はメカニカルシャッタにより遮光する必要がある。
【００２３】
図２は、上記の固体撮像素子１を備えた本実施形態に係るカメラの概略構成を示す図である。本実施形態に係るカメラは、動画撮影可能なビデオカメラの例である。
【００２４】
本実施形態に係るカメラは、上記したＦＴ―ＣＣＤからなる固体撮像素子１と、光学系２と、シャッタ装置３と、駆動回路４と、信号処理回路５とを有する。
【００２５】
光学系２は、被写体からの像光（入射光）を固体撮像素子（ＦＴ−ＣＣＤ）１の撮像面上に結像させる。これにより、撮像部１０の垂直転送ＣＣＤ１４において、入射光量に応じた信号電荷に変換され、垂直転送ＣＣＤ１４において、一定期間当該信号電荷が蓄積される。
【００２６】
シャッタ装置３は、固体撮像素子１への光照射期間および遮光期間を制御する。シャッタ装置３により固体撮像素子１が遮光されている期間中に、撮像部１０中の信号電荷が高速で蓄積部１１に転送される。
【００２７】
駆動回路４は、固体撮像素子１の転送動作およびシャッタ装置３のシャッタ動作を制御する駆動信号を供給する。駆動回路４から供給される駆動信号（タイミング信号）により、固体撮像素子１の各垂直転送ＣＣＤ１４，１５および水平転送ＣＣＤ１２による転送動作が制御される。また、上記の転送動作に同期して、シャッタ装置３の動作が制御される。
【００２８】
信号処理回路５は、固体撮像素子１から出力されたアナログ画像信号に対して、ノイズ除去を行ったり、ディジタル信号に変換するといった各種の信号処理を行う。信号処理回路５による信号処理が行われた映像信号は、メモリなどの記憶媒体に記憶され、あるいはモニタに出力される。
【００２９】
図３は、上記のシャッタ装置３の構成を示す図である。図４は、継手部材３３の構成の一例を示す斜視図である。図５は、図３において矢印Ｘ方向から見たシャッタ装置３の正面図である。
【００３０】
シャッタ装置３は、第１回転板３１と、第２回転板３２と、継手部材３３と、モータ３７とを有する。
【００３１】
第１回転板３１は、円盤状の部材と、当該円盤上の部材の外側に等間隔で配置された４つの第１遮光部３１ａを有する。上記の第１回転板３１の回転による振動および動作音を軽減するため、第１遮光部３１ａを含めた第１回転板３１の形状は、回転中心Ａに点対象な形状であることが好ましい。第１回転板３１には、第２回転板３２との対向面側に溝３１ｂが設けられている。溝３１ｂは、円盤状の部材の直径に沿って形成されている。
【００３２】
第２回転板３２は、円盤状の部材と、当該円盤状の部材の外側に等間隔で配置された４つの第２遮光部３２ａを有する。第１回転板３１の第１遮光部３１ａと、第２回転板３２の第２遮光部３２ａとの接触を避けるため、第２回転板３２は第１回転板３１とは間隔を空けて配置されている。上記の第２回転板３２の回転による振動および動作音を軽減するため、第２遮光部３２ａを含めた第２回転板３２の形状は、回転中心Ｂに点対象な形状であることが好ましい。第２回転板３２には、第１回転板３１との対向面側に溝３２ｂが設けられている。例えば、第２回転板３２の溝３２ｂは、円盤状の部材の直径に沿って、かつ第１回転板３１の溝３１ｂと直交する方向に設けられている。
【００３３】
第１回転板３１の回転中心Ａおよび第２回転板３２の回転中心Ｂは、固体撮像素子１の撮像面の中心線Ｍに対して対称に配置されている（図５参照）。中心線Ｍは、固体撮像素子１の撮像面の中心から、撮像面を区画する辺に平行に延長した線である。第１回転板３１および第２回転板は、同一方向（図中、反時計回り）に回転する。これにより、第１回転板３１の第１遮光部３１ａは固体撮像素子１の撮像面の右側から斜め方向に横切る一方で、第２回転板３２の第２遮光部３２ａは固体撮像素子１の撮像面の左側から斜めに横切ることとなる。この結果、固体撮像素子１の撮像面の左右両側における遮光の時間差がなくなり、固体撮像素子１の撮像面の左右両側でのスミア特性のレベルの差を低減することができる。
【００３４】
支持部材３６は、第１回転板３１の回転中心Ａを規定する第１回転軸３４および第２回転板３２の回転中心Ｂを規定する第２回転軸３５を回転可能に支持する。第１回転軸３４および第２回転軸３５は平行であるが、わずかにずれて配置されている。
【００３５】
継手部材３３は、第１回転板３１の回転運動を第２回転板３２に伝えるものであり、第１回転板３１と第２回転板３２との間に配置されている。図４に示すように、継手部材３３は、例えば円盤状の部材からなり、両面には円盤の直径に沿って突起部３３ａ、３３ｂが形成されている。突起部３３ａと突起部３３ｂは、例えば互いに直交する方向に配置されている。突起部３３ａは第１回転板３１の溝３１ｂに入り、突起部３３ｂは第２回転板３２の溝３２ｂに入る。継手部材３３は、いわゆるオルダム継手と称されるものである。
【００３６】
モータ３７は、第１回転板３１の回転軸３４を回転させる。モータ３７は、本発明の駆動部に相当する。モータ３７の動作は、駆動回路４により制御される。本実施形態では、モータ３７は、第１回転板３１の第１回転軸３４を回転させる例について説明するが、第２回転板３２の第２回転軸３５を回転させてもよい。
【００３７】
上記のシャッタ装置３では、モータ３７により第１回転軸３４を介して第１回転板３１を回転させると、継手部材３３および第２回転板３２も回転する。第１回転板３１が所定の角度回転すると、継手部材３３および第２回転板３２も同じ角度回転し、第１回転板３１と第２回転板３２の角速度は等しくなる。
【００３８】
上記の動作において、継手部材３３は第１回転板３１と第２回転板３２に対して滑りながら回転する。第１回転板３１および第２回転板３２の回転中心は固定されているため単純な円運動をするが、継手部材３３の中心は固定されておらず常に移動するので単純な円運動ではなくなる。
【００３９】
回転軸がずれた第１回転板３１および第２回転板３２を１つのモータ３７で回転させるための条件として、溝３１ｂ，３２ｂあるいは突起部３３ａ，３３ｂの直交性は必要条件ではない。ただし、溝３１ｂ，３２ｂあるいは突起部３３ａ，３３ｂに角度をもたせておくことが必要である。
【００４０】
次に、上記の本実施形態に係るカメラによる動画撮影動作について説明する。
【００４１】
動画撮影時には、モータ３７により第１回転板３１および第２回転板３２を連続回転させておく。これにより、第１遮光部３１ａおよび第２遮光部３２ａによる固体撮像素子１の撮像面の遮光動作（シャッタ閉動作）と、固体撮像素子１の撮像面への入射光の照射動作（シャッタ開動作）とが繰り返される。
【００４２】
固体撮像素子１の撮像面へ入射光が照射されている期間中には、撮像部１０の垂直転送ＣＣＤ１４により光電変換がなされ、信号電荷が蓄積される。
【００４３】
第１遮光部３１ａおよび第２遮光部３２ａにより固体撮像素子１の撮像面が遮光されている期間中に、垂直転送ＣＣＤ１４により撮像部１０から蓄積部１１へ高速で信号電荷が転送される。
【００４４】
その後、再び第１遮光部３１ａおよび第２遮光部３２ａが固体撮像素子１の撮像面から離れて、固体撮像素子１の撮像面へ光が入射される。このとき、撮像部１０では入射光の光電変換を行う一方で、蓄積部１１の垂直転送ＣＣＤ１５による垂直転送動作および水平転送ＣＣＤ１２による水平転送動作が行われる。
【００４５】
モータ３７による第１回転板３１および第２回転板３２の角速度、第１遮光部３１ａおよび第２遮光部３２ａの寸法や個数により、固体撮像素子１の撮像面の遮光期間と照射期間が決まる。このため、駆動回路４は、固体撮像素子１の撮像面の遮光期間中に撮像部１０から蓄積部１１へ信号電荷を高速に転送するように垂直転送ＣＣＤ１４を駆動する。また、固体撮像素子１の撮像面の照射期間中に蓄積部１１の信号電荷を出力部１３へ転送するように、蓄積部１１の垂直転送ＣＣＤ１５および水平転送ＣＣＤ１２を駆動する。
【００４６】
以上のようにして、第１回転板３１および第２回転板３２の連続回転により、連続的にシャッタ開閉動作が行われて、被写体の動画が撮影される。
【００４７】
本実施形態に係るシャッタ装置およびカメラの効果について説明する。
【００４８】
本実施形態では、第１回転板３１と第２回転板３２を連続回転させ、第１遮光部３１ａと第２遮光部３２ａが固体撮像素子１の撮像面上を所定間隔で通過することにより、シャッタ開閉動作が連続的に行われる。シャッタ開閉動作を回転運動により実現することにより、往復運動を行う従来のメカニカルシャッタに比べて、シャッタ装置３の振動および動作音を軽減することができる。
【００４９】
また、本実施形態では、複数の回転板３１，３２を用いている。図６に示すように、例えば第１回転板３１の第１遮光部（遮光片）３１ａのみで遮光する場合には、第１遮光部３１ａは固体撮像素子１の撮像面を斜めに横切るため、撮像面の左右両側において時間差が生じ、撮像面の左右両側におけるスミアのレベルに差が生じることとなる。これに対して、本実施形態では、各回転板３１，３２の遮光部３１ａ，３２ａが固体撮像素子１の撮像面の左右両側から遮光するため、固体撮像素子１の撮像面の左右両側におけるスミアのレベルの差を低減することができる。
【００５０】
なお、本実施形態では、第１回転板３１と第２回転板３２の２つの回転板を用いる例について説明したが、撮像面の水平方向におけるスミアのレベルの差をさらに低減するために、３つ以上の回転板を用いてもよい。
【００５１】
また、第１回転板３１の第１遮光部３１ａと、第２回転板３２の第２遮光部３２ａとは、固体撮像素子１の撮像面に同時に差し掛かる必要があるため、第１回転板３１と第２回転板３２は、同一角速度で同期のとれた動作が必要である。本実施形態では、第１回転板３１と第２回転板３２の間に継手部材３３が設けられているため、回転軸が互いにずれて配置された第１回転板３１と第２回転板３２とを、同一回転方向に同一角速度で、互いに同期を維持して回転させることができる。
【００５２】
また、第１遮光部３１ａを含めた第１回転板３１の形状、第２遮光部３２ａを含めた第２回転板３２の形状を回転中心に対して点対象にすることにより、第１回転板３１および第２回転板３２の円滑な円運動を実現でき、振動や動作音をさらに軽減することができる。
【００５３】
以上のシャッタ装置を用いることにより、ＦＴ−ＣＣＤからなる固体撮像素子１を備えた動画撮影可能なカメラ（ビデオカメラ）を実現することができる。
【００５４】
（第２実施形態）
図７は、第２実施形態に係るシャッタ装置３の上面図である。
【００５５】
本実施形態では、固体撮像素子１の一方側、例えば右側に第１回転板３１が配置されており、固体撮像素子１の他方側、例えば左側に第２回転板３２が配置されている例である。第１回転板３１および第２回転板３２の形状については、第１実施形態で説明した通りである。
【００５６】
第１回転板３１および第２回転板３２は、逆方向に同一角速度で、互いに同期を維持して回転させる必要がある。例えば、第１実施形態の継手部材３３の代わりに、例えば歯車機構、プーリ等を用いて、両者を逆方向に回転させる。あるいは、第１回転板３１および第２回転板３２を回転させる２つのモータを用意してもよい。
【００５７】
上記のように、固体撮像素子１の両側に第１回転板３１および第２回転板３２を配置したシャッタ装置によっても、連続して開閉動作を行った際に発生する振動および動作音を軽減でき、かつ、固体撮像素子の撮像面の両側に発生するスミアのレベルの差を低減することができる。
【００５８】
ただし、第１回転板３１と第２回転板３２とを重ねて配置した第１実施形態に係るシャッタ装置の方が、装置の小型化、部品点数の削減の点では優れている。
【００５９】
（第３実施形態）
本実施形態では、シャッタ装置を構成する回転板の変形例について説明する。図８は、第１回転板３１の構成を示す上面図である。なお、図８では、第１回転板３１のみを示しているが、第２回転板の構成については第１回転板３１と同様である。また、第２回転板は、第１実施形態のように第１回転板３１と重ねて配置しても、第２実施形態のように第１回転板３１とは重ならないように配置してもよい。
【００６０】
第１回転板３１は、円盤状の部材の内側に設けられた開口部３１ｃを有する。第１回転板３１は、回転中心Ａに対して点対称の形状をもつ。本例では、４つの開口部３１ｃが形成されており、開口部３１ｃ間の領域が第１遮光部３１ａとなる。このため、第１回転板３１は、４つの第１遮光部３１ａを備える。
【００６１】
第１回転板３１が回転している状態において、第１遮光部３１ａが固体撮像素子１の撮像面上を通っているときが遮光期間となり、開口部３１ｃが固体撮像素子１の撮像面上を通っているときが光照射期間となる。
【００６２】
上記したように、円盤状の部材の内側に開口部３１ｃを設けて、開口部３１ｃ間の領域を第１遮光部３１ａとしてもよい。この場合にも、第１実施形態と同様の効果を奏することができる。
【００６３】
（第４実施形態）
本実施形態では、シャッタ装置を構成する回転板の変形例について説明する。図９は、第１回転板３１の構成を示す上面図である。なお、図９では、第１回転板３１のみを示しているが、第２回転板の構成については第１回転板３１と同様である。また、第２回転板は、第１実施形態のように第１回転板３１と重ねて配置しても、第２実施形態のように第１回転板３１とは重ならないように配置してもよい。
【００６４】
第１回転板３１は、正多角形の板状の部材と、当該正多角形の部材の外側に等間隔で配置された４つの第１遮光部３１ａを有する。本例では、正多角形の部材として、正八角形の部材を用いた例を示すが、正方形、正六角形等であってもよい。上記の第１回転板３１の回転による振動および動作音を軽減するため、第１遮光部３１ａを含めた第１回転板３１の形状は、回転中心Ａに点対象な形状となっている。
【００６５】
上記したように、正多角形の板状の部材の外側に、矩形状の第１遮光部３１ａを設けることによっても、第１実施形態と同様の効果を奏することができる。なお、正多角形の板状の部材の内側に、第２実施形態と同様に開口部を設けて、開口部間の領域を遮光部としてもよい。
【００６６】
本発明は、上記の実施形態の説明に限定されない。
例えば、第１回転板３１および第２回転板３２に設ける第１遮光部３１ａおよび第２遮光部３２ａの数、形状、寸法は適宜変更可能である。また、第３回転板を追加することも可能である。
その他、本発明の要旨を逸脱しない範囲で、種々の変更が可能である。
【図面の簡単な説明】
【００６７】
【図１】本実施形態に係るカメラに備えられる固体撮像素子の構成を示す図である。
【図２】本実施形態に係るカメラの概略構成を示す図である。
【図３】本実施形態に係るシャッタ装置の構成を示す側面図である。
【図４】継手部材の一例を示す斜視図である。
【図５】本実施形態に係るシャッタ装置の正面図である。
【図６】比較例のシャッタ装置の正面図である。
【図７】第２実施形態に係るシャッタ装置の正面図である。
【図８】第３実施形態に係るシャッタ装置に使用される回転板の構成を示す上面図である。
【図９】第４実施形態に係るシャッタ装置に使用される回転板の構成を示す上面図である。
【符号の説明】
【００６８】
１…固体撮像素子、２…光学系、３…シャッタ装置、４…駆動回路、５…信号処理回路、１０…撮像部、１１…蓄積部、１２…水平転送ＣＣＤ、１３…出力部、１４…垂直転送ＣＣＤ、１５…垂直転送ＣＣＤ、３１…第１回転板、３１ａ…第１遮光部、３１ｂ…溝、３１ｃ…開口部、３２…第２回転板、３２ａ…第２遮光部、３２ｂ…溝、３３…継手部材、３３ａ…突起部、３３ｂ…突起部、３４…第１回転軸、３５…第２回転軸、３６…支持部材、３７…モータ、Ａ…回転中心、Ｂ…回転中心、Ｍ…中心線
【図１】
2006308841.tif 000003
【図２】
2006308841.tif 000004
【図３】
2006308841.tif 000005
【図４】
2006308841.tif 000006
【図５】
2006308841.tif 000007
【図６】
2006308841.tif 000008
【図７】
2006308841.tif 000009
【図８】
2006308841.tif 000010
【図９】
2006308841.tif 000011